(57)【要約】【課題】  不測の原因による衣服等からの脱落や、止着具の止め忘れ等が起こらない装飾品留め具を提供する。【解決手段】  刺し針と止着具からなり、（ａ）止着具は、止着揺動位置における刺し針と同一方向に固定した外筒と、外筒内部に収容した、刺し針止着用の内筒からなり、（ｂ）内筒は刺し針の揺動に干渉しない退避位置と、刺し針の揺動を拘束する止着位置との間で回転動作／軸方向移動が可能であり、（ｃ）外筒と内筒間には、退避位置の内筒を止着位置へ付勢する付勢手段と、付勢手段に抗して内筒を退避位置に保持するストッパーと、刺し針の止着揺動位置への揺動により動作してストッパーの作用を解除するセンサ−部材を設け、（ｄ）内筒には止着位置の内筒を退避位置へ移動させる強制移動手段を設けた、装飾品留め具。【選択図】          図３
2006043442.tif 000002
【特許請求の範囲】
【請求項１】
装飾品裏面のベース部に形成される、揺動式の刺し針と、この刺し針を止着揺動位置において着脱可能に止着する止着具からなる装飾品留め具であって、
（ａ）前記止着具は、前記ベース部において止着揺動位置における刺し針と同一方向に固定した筒体である外筒と、この外筒の内部に収容した筒体であって前記刺し針を着脱可能に止着するための内筒とからなる二重筒構造を持ち、
（ｂ）前記外筒内において、内筒は、刺し針の揺動に干渉しない退避位置と、止着揺動位置にある刺し針の揺動を拘束する止着位置との間で、周方向への回転動作及び／又は軸方向への移動が可能であり、
（ｃ）前記外筒と内筒との間には、退避位置にある内筒を止着位置へ移動するように付勢する付勢手段と、この付勢手段の付勢力に抗して内筒を退避位置に保持するストッパーと、刺し針の止着揺動位置への揺動により動作させられて前記ストッパーの作用を解除するセンサ−部材とを設け、
（ｄ）かつ内筒には、止着位置にある内筒を退避位置へ移動させるための強制移動手段を設けた、
ことを特徴とする装飾品留め具。
【請求項２】
装飾品裏面のベース部に形成され、揺動式の刺し針と、この刺し針を止着揺動位置において着脱可能に止着する以下の構成の止着具からなることを特徴とする装飾品留め具。
（１）前記ベース部には、筒体である外筒を、止着揺動位置における刺し針と同一方向に、かつ止着揺動位置における刺し針の先端より少し前方に固定すると共に、この外筒内には、前記刺し針を着脱可能に止着するための筒体である内筒を、刺し針の揺動に干渉しない退避位置と、刺し針を内周部に収容できる止着位置との間で、軸方向へ移動可能に保持し、
（２）前記外筒と内筒との間には、内筒を止着位置方向へ付勢する付勢手段と、この付勢手段に抗して内筒を退避位置へ移動させるための手動操作可能な強制移動手段とを設け、
（３）前記外筒には弾性変形可能な材料を用いてセンサーアームを構成し、このセンサーアームには、退避位置にある内筒に係止してその移動を制約する係止爪と、前記刺し針の止着位置まで突出したセンサー部材とを設け、
（４）刺し針の止着揺動位置への揺動がセンサー部材を介してセンサーアームを弾性的に変位させ、前記係止爪の内筒への係止を解除するように構成した。
【請求項３】
前記センサーアームが外筒の外周部に構成され、かつ前記センサー部材が内筒の軸方向に形成した溝状の切れ目を通過して刺し針の所定の揺動位置まで突出していることを特徴とする請求項２に記載の装飾品留め具。
【請求項４】
前記外筒をスペーサー部材を介してベース部に固定することにより、外筒とベース部との間に前記センサーアームの弾性的変形を許容する空間を設定したことを特徴とする請求項２又は請求項３に記載の装飾品留め具。
【請求項５】
前記係止爪の内筒への係止を解除した状態において、内筒をその付勢手段ごと外筒から取り外し可能であることを特徴とする請求項２〜請求項４のいずれかに記載の装飾品留め具。
【請求項６】
前記付勢手段が内筒に収容した圧縮状態のコイルバネであることを特徴とする請求項２〜請求項５のいずれかに記載の装飾品留め具。
【請求項７】
前記強制移動手段が、内筒に設けられ、外筒の軸方向に形成した溝状の切れ目を通過して径方向へ突出した摘まみであることを特徴とする請求項２〜請求項６のいずれかに記載の装飾品留め具。
【請求項８】
前記強制移動手段が、外筒の外周における、装飾品装着者の視線方向の部分に形成されていることを特徴とする請求項２〜請求項７のいずれかに記載の装飾品留め具。
【請求項９】
装飾品裏面のベース部に形成され、揺動式の刺し針と、この刺し針を止着揺動位置において着脱可能に止着する以下の構成の止着具からなることを特徴とする装飾品留め具。
（１）前記ベース部には、円筒体である外筒を、止着揺動位置における刺し針と同一方向に、かつ止着揺動位置における刺し針の先端部が接触する位置に固定して、外筒の周壁には揺動する刺し針の進入を許すスリットを設け、
（２）外筒内には円筒体である内筒を周方向への回転動作及び軸方向への移動可能に保持し、この内筒の周壁にも揺動する刺し針の進入を許すスリットを設けて、両者のスリットが一致する内筒の回転位置（退避位置）では内筒が刺し針の揺動に干渉せず、両者のスリットが一致しない内筒の回転位置（止着位置）では内筒が刺し針の揺動を拘束する構成とし、
（３）外筒の周壁部には、内筒の前記退避位置と止着位置との間の回転角度に相当する周方向の角度を有するように螺旋方向に設けたガイド溝に、内筒から突出した摘まみを通過させ、このガイド溝における退避側端部（内筒が退避位置にある時の端部）には、摘まみが周方向へ脱出動作することによって脱出できる退避溝部を設け、
（４）前記外筒と内筒との間には、内筒を軸方向へ付勢することにより、前記摘まみに対するガイド溝の案内作用を通じて結果的に内筒を止着位置方向へ回転させるように付勢することとなる付勢手段を設け、
（５）内筒の内部には、前記内筒のスリットを通過して進入して来た刺し針に押されて、前記退避溝部にある摘まみが前記の脱出動作を行う方向への内筒の回転力を生じさせる形状のセンサー壁部を形成した。
【請求項１０】
前記付勢手段が内筒と外筒との軸方向端部間に収容した圧縮状態のコイルバネであることを特徴とする請求項９に記載の装飾品留め具。
【請求項１１】
前記外筒のガイド溝には、更に前記外筒のスリットと連絡する連絡溝が形成され、前記内筒の摘まみを外筒の連絡溝及びスリットを通過させる操作により、内筒と外筒とを組み付け・分解可能であることを特徴とする請求項９又は請求項１０に記載の装飾品留め具。
【請求項１２】
装飾品裏面のベース部に形成され、揺動式の刺し針と、この刺し針を止着揺動位置において着脱可能に止着する以下の構成の止着具からなることを特徴とする装飾品留め具。
（１）前記ベース部には、円筒体である外筒を、止着揺動位置における刺し針と同一方向に、かつ止着揺動位置における刺し針の先端部が接触する位置に固定して、外筒の周壁には揺動する刺し針の進入を許すスリットを設け、
（２）外筒内には円筒体である内筒を周方向への回転動作及び軸方向への移動可能に保持し、この内筒の周壁にも揺動する刺し針の進入を許すスリットを設けて、両者のスリットが一致する内筒の回転位置（退避位置）では内筒が刺し針の揺動に干渉せず、両者のスリットが一致しない内筒の回転位置（止着位置）では内筒が刺し針の揺動を拘束する構成とし、
（３）外筒の周壁部には、内筒の前記退避位置と止着位置との間の回転角度に相当する角度を有するように周方向に設けたガイド溝に、内筒から突出した摘まみを通過させ、このガイド溝における退避側端部（内筒が退避位置にある時の端部）には軸方向への退避溝部を設けることにより、摘まみが軸方向へ脱出動作した時にこの退避溝部から脱出できるように構成し、
（４）前記外筒と内筒との間には、内筒を退避位置から止着位置方向へ回転させるように付勢する付勢手段を設け、
（５）外筒には、刺し針の止着揺動位置への揺動により動作させられて、内筒の前記摘まみが退避溝部から脱出動作するように内筒を軸方向へ移動させるセンサ−部材を設けた。
【請求項１３】
前記センサ−部材が、内筒の軸方向先端部において外筒の対抗壁部に一対に設けた対称螺旋方向へのセンサ−溝間に架設したセンサ−バーであって、止着揺動位置へ揺動した刺し針によりセンサ−溝沿いに押されたセンサ−バーが内筒を軸方向へ移動させ、内筒の摘まみを退避溝部から脱出動作させる構成であることを特徴とする請求項１２に記載の装飾品留め具。
【請求項１４】
前記センサ−部材が、内筒の軸方向先端部において外筒の対抗壁部間に回転可能に架設したセンサ−振り子であって、止着揺動位置へ揺動した刺し針により押されて回転したセンサ−振り子が内筒を軸方向へ移動させ、内筒の摘まみを退避溝部から脱出動作させる構成であることを特徴とする請求項１２に記載の装飾品留め具。
【請求項１５】
前記付勢手段が、内筒と外筒との間に設けた、外筒に対して内筒を退避位置から止着位置方向へ回転させるように付勢する回転バネであることを特徴とする請求項１２〜請求項１４のいずれかに記載の装飾品留め具。
【請求項１６】
前記外筒のガイド溝には、更に前記外筒のスリットと連絡する連絡溝が形成され、前記内筒の摘まみを外筒の連絡溝及びスリットを通過させる操作により、内筒と外筒とを組み付け・分解可能であることを特徴とする請求項１２〜請求項１５のいずれかに記載の装飾品留め具。
【発明の詳細な説明】
【技術分野】
【０００１】
本発明は装飾品留め具に関し、更に詳しくは、ブローチやスカーフ止め等の装飾品の裏面ベース部に形成される留め具であって、装飾品を衣服等に留める揺動可能な刺し針と、この刺し針を着脱可能に止着する止着具からなる装飾品留め具に関する。
【背景技術】
【０００２】
従来のこの種の装飾品留め具には、いわゆる風車式のものと、鉄砲式のものとがあった。
【０００３】
「風車式」とは、要するに、刺し針を止着するための受け具のリングが固定部と開閉可能なカバー部からなり、カバー部を一旦開いて受け具に刺し針を受け入れた後に、カバー部を閉じて固定部に係合することにより刺し針を止着するようにした形式の装飾品留め具である。
【０００４】
一方「鉄砲式」とは、要するに、止着可能な揺動位置（止着揺動位置）にある刺し針と同一軸線上に位置するようにパイプ状の受け具を設け、止着揺動位置に揺動して来た刺し針に対してパイプ状の受け具をスライドさせて刺し針を収納し、この状態で受け具のスライド機能をロックして刺し針を止着するようにした形式の装飾品留め具である。
【特許文献１】特開平１１−２５３２１２号公報  上記の特許文献１には鉄砲式の装飾品留め具の一例が開示されている。即ち、（図示は省略するが）ペンダントヘッド係止金具に一定の角度範囲で揺動可能に取り付けた刺し針３２に対して、この刺し針３２の倒伏位置と同一軸線上にパイプ状の受け具３６を設け、このパイプ状の受け具３６が構成部材のスライド機構により刺し針３２を着脱可能に止着できるようになっている。
【発明の開示】
【発明が解決しようとする課題】
【０００５】
しかし、前記の風車式の装飾品留め具では、装飾品を衣服等に装着して使用している状態において、種々の原因によって固定部に対するカバー部の係合が緩み、又は外れる場合があった。そのためリング状の受け具が開いて刺し針が外れ、装飾品がしばしば衣服から脱落すると言う不具合があった。
【０００６】
この点、前記の鉄砲式の装飾品留め具では、刺し針がパイプ状の受け具に収納されているため、その止着状態は安定しており、上記のような原因で装着中の装飾品が衣服等から脱落する恐れは少ない。
【０００７】
しかしながら、風車式の装飾品留め具ではもち論のこと、鉄砲式の装飾品留め具においても、揺動式の刺し針が止着揺動位置に達したことを良く視認してから受け具の閉止又はロックを行なわねばならない、と言う面倒があった。そして実際には、この点を十分に視認せずに受け具の閉止又はロックを行う装着者も多く、このような理由から装飾品が衣服等から脱落し、しばしば高価な装飾品を紛失していた。
【０００８】
そこで本発明は、従来技術における上記の不具合を解消することを、解決すべき技術的課題とする。本願発明者は、原理的に鉄砲式を採用すると共に、揺動式の刺し針が止着揺動位置に達したことを感知するセンサーを設け、このセンサーが刺し針に対する止着動作のトリガー（引き金）となる各種の機構を着想して、本願発明を完成した。
【課題を解決するための手段】
【０００９】
（第１発明の構成）
上記課題を解決するための本願第１発明の構成は、装飾品裏面のベース部に形成される、揺動式の刺し針と、この刺し針を止着揺動位置において着脱可能に止着する止着具からなる装飾品留め具であって、
（ａ）前記止着具は、前記ベース部において止着揺動位置における刺し針と同一方向に固定した筒体である外筒と、この外筒の内部に収容した筒体であって前記刺し針を着脱可能に止着するための内筒とからなる二重筒構造を持ち、
（ｂ）前記外筒内において、内筒は、刺し針の揺動に干渉しない退避位置と、止着揺動位置にある刺し針の揺動を拘束する止着位置との間で、周方向への回転動作及び／又は軸方向への移動が可能であり、
（ｃ）前記外筒と内筒との間には、退避位置にある内筒を止着位置へ移動するように付勢する付勢手段と、この付勢手段の付勢力に抗して内筒を退避位置に保持するストッパーと、刺し針の止着揺動位置への揺動により動作させられて前記ストッパーの作用を解除するセンサ−部材とを設け、
（ｄ）かつ内筒には、止着位置にある内筒を退避位置へ移動させるための強制移動手段を設けた、装飾品留め具である。
【００１０】
（第２発明の構成）
上記課題を解決するための本願第２発明の構成は、装飾品裏面のベース部に形成され、揺動式の刺し針と、この刺し針を止着揺動位置において着脱可能に止着する以下の構成の止着具からなる、装飾品留め具である。
【００１１】
（１）前記ベース部には、筒体である外筒を、止着揺動位置における刺し針と同一方向に、かつ止着揺動位置における刺し針の先端より少し前方に固定すると共に、この外筒内には、前記刺し針を着脱可能に止着するための筒体である内筒を、刺し針の揺動に干渉しない退避位置と、刺し針を内周部に収容できる止着位置との間で、軸方向へ移動可能に保持し、
（２）前記外筒と内筒との間には、内筒を止着位置方向へ付勢する付勢手段と、この付勢手段に抗して内筒を退避位置へ移動させるための手動操作可能な強制移動手段とを設け、
（３）前記外筒には弾性変形可能な材料を用いてセンサーアームを構成し、このセンサーアームには、退避位置にある内筒に係止してその移動を制約する係止爪と、前記刺し針の止着位置まで突出したセンサー部材とを設け、
（４）刺し針の止着揺動位置への揺動がセンサー部材を介してセンサーアームを弾性的に変位させ、前記係止爪の内筒への係止を解除するように構成した。
【００１２】
（第３発明の構成）
上記課題を解決するための本願第３発明の構成は、前記第２発明に係るセンサーアームが外筒の外周部に構成され、かつ前記センサー部材が内筒の軸方向に形成した溝状の切れ目を通過して刺し針の所定の揺動位置まで突出している、装飾品留め具である。
【００１３】
（第４発明の構成）
上記課題を解決するための本願第４発明の構成は、前記第２発明又は第３発明に係る外筒をスペーサー部材を介してベース部に固定することにより、外筒とベース部との間に前記センサーアームの弾性的変形を許容する空間を設定した、装飾品留め具である。
【００１４】
（第５発明の構成）
上記課題を解決するための本願第５発明の構成は、前記第２発明〜第４発明のいずれかに係る係止爪の内筒への係止を解除した状態において、内筒をその付勢手段ごと外筒から取り外し可能である、装飾品留め具である。
【００１５】
（第６発明の構成）
上記課題を解決するための本願第６発明の構成は、前記第２発明〜第５発明のいずれかに係る付勢手段が内筒に収容した圧縮状態のコイルバネである、装飾品留め具である。
【００１６】
（第７発明の構成）
上記課題を解決するための本願第７発明の構成は、前記第２発明〜第６発明のいずれかに係る強制移動手段が、内筒に設けられ、外筒の軸方向に形成した溝状の切れ目を通過して径方向へ突出した摘まみである、装飾品留め具である。
【００１７】
（第８発明の構成）
上記課題を解決するための本願第８発明の構成は、前記第２発明〜第７発明のいずれかに係る強制移動手段が、外筒の外周における、装飾品装着者の視線方向の部分に形成されている、装飾品留め具である。
【００１８】
（第９発明の構成）
上記課題を解決するための本願第９発明の構成は、装飾品裏面のベース部に形成され、揺動式の刺し針と、この刺し針を止着揺動位置において着脱可能に止着する以下の構成の止着具からなる、装飾品留め具である。
【００１９】
（１）前記ベース部には、円筒体である外筒を、止着揺動位置における刺し針と同一方向に、かつ止着揺動位置における刺し針の先端部が接触する位置に固定して、外筒の周壁には揺動する刺し針の進入を許すスリットを設け、
（２）外筒内には円筒体である内筒を周方向への回転動作及び軸方向への移動可能に保持し、この内筒の周壁にも揺動する刺し針の進入を許すスリットを設けて、両者のスリットが一致する内筒の回転位置（退避位置）では内筒が刺し針の揺動に干渉せず、両者のスリットが一致しない内筒の回転位置（止着位置）では内筒が刺し針の揺動を拘束する構成とし、
（３）外筒の周壁部には、内筒の前記退避位置と止着位置との間の回転角度に相当する周方向の角度を有するように螺旋方向に設けたガイド溝に、内筒から突出した摘まみを通過させ、このガイド溝における退避側端部（内筒が退避位置にある時の端部）には、摘まみが周方向へ脱出動作することによって脱出できる退避溝部を設け、
（４）前記外筒と内筒との間には、内筒を軸方向へ付勢することにより、前記摘まみに対するガイド溝の案内作用を通じて結果的に内筒を止着位置方向へ回転させるように付勢することとなる付勢手段を設け、
（５）内筒の内部には、前記内筒のスリットを通過して進入して来た刺し針に押されて、前記退避溝部にある摘まみが前記の脱出動作を行う方向への内筒の回転力を生じさせる形状のセンサー壁部を形成した。
【００２０】
（第１０発明の構成）
上記課題を解決するための本願第１０発明の構成は、前記第９発明に係る付勢手段が内筒と外筒との軸方向端部間に収容した圧縮状態のコイルバネである、装飾品留め具である。
【００２１】
（第１１発明の構成）
上記課題を解決するための本願第１１発明の構成は、前記第９発明又は第１０発明に係る外筒のガイド溝には、更に前記外筒のスリットと連絡する連絡溝が形成され、前記内筒の摘まみを外筒の連絡溝及びスリットを通過させる操作により、内筒と外筒とを組み付け・分解可能である、装飾品留め具である。
【００２２】
（第１２発明の構成）
上記課題を解決するための本願第１２発明の構成は、装飾品裏面のベース部に形成され、揺動式の刺し針と、この刺し針を止着揺動位置において着脱可能に止着する以下の構成の止着具からなる、装飾品留め具である。
【００２３】
（１）前記ベース部には、円筒体である外筒を、止着揺動位置における刺し針と同一方向に、かつ止着揺動位置における刺し針の先端部が接触する位置に固定して、外筒の周壁には揺動する刺し針の進入を許すスリットを設け、
（２）外筒内には円筒体である内筒を周方向への回転動作及び軸方向への移動可能に保持し、この内筒の周壁にも揺動する刺し針の進入を許すスリットを設けて、両者のスリットが一致する内筒の回転位置（退避位置）では内筒が刺し針の揺動に干渉せず、両者のスリットが一致しない内筒の回転位置（止着位置）では内筒が刺し針の揺動を拘束する構成とし、
（３）外筒の周壁部には、内筒の前記退避位置と止着位置との間の回転角度に相当する角度を有するように周方向に設けたガイド溝に、内筒から突出した摘まみを通過させ、このガイド溝における退避側端部（内筒が退避位置にある時の端部）には軸方向への退避溝部を設けることにより、摘まみが軸方向へ脱出動作した時にこの退避溝部から脱出できるように構成し、
（４）前記外筒と内筒との間には、内筒を退避位置から止着位置方向へ回転させるように付勢する付勢手段を設け、
（５）外筒には、刺し針の止着揺動位置への揺動により動作させられて、内筒の前記摘まみが退避溝部から脱出動作するように内筒を軸方向へ移動させるセンサ−部材を設けた。
【００２４】
（第１３発明の構成）
上記課題を解決するための本願第１３発明の構成は、前記第１２発明に係るセンサ−部材が、内筒の軸方向先端部において外筒の対抗壁部に一対に設けた対称螺旋方向へのセンサ−溝間に架設したセンサ−バーであって、止着揺動位置へ揺動した刺し針によりセンサ−溝沿いに押されたセンサ−バーが内筒を軸方向へ移動させ、内筒の摘まみを退避溝部から脱出動作させる構成である、装飾品留め具である。
【００２５】
（第１４発明の構成）
上記課題を解決するための本願第１４発明の構成は、前記第１２発明に係るセンサ−部材が、内筒の軸方向先端部において外筒の対抗壁部間に回転可能に架設したセンサ−振り子であって、止着揺動位置へ揺動した刺し針により押されて回転したセンサ−振り子が内筒を軸方向へ移動させ、内筒の摘まみを退避溝部から脱出動作させる構成である、装飾品留め具である。
【００２６】
（第１５発明の構成）
上記課題を解決するための本願第１５発明の構成は、前記第１２発明〜第１４発明のいずれかに係る付勢手段が、内筒と外筒との間に設けた、外筒に対して内筒を退避位置から止着位置方向へ回転させるように付勢する回転バネである、装飾品留め具である。
【００２７】
（第１６発明の構成）
上記課題を解決するための本願第１６発明の構成は、前記第１２発明〜第１５発明のいずれかに係る外筒のガイド溝には、更に前記外筒のスリットと連絡する連絡溝が形成され、前記内筒の摘まみを外筒の連絡溝及びスリットを通過させる操作により、内筒と外筒とを組付け・分解可能である、装飾品留め具である。
【発明の効果】
【００２８】
（第１発明の効果）
退避位置にある内筒はストッパーの作用により移動を制約されている。衣服等に刺し通した刺し針を止着揺動位置まで揺動させると、これを感知したセンサ−部材が動作してストッパーの作用を解除する。その結果、ストッパーによる制約を解除された内筒が付勢手段の作用で退避位置から止着位置へ移動し、刺し針の揺動を拘束して、内筒によって揺動式の刺し針が止着される。
【００２９】
即ち、揺動式の刺し針が止着揺動位置に達したことをセンサ−部材が感知して刺し針に対する止着動作のトリガーを引く機構であるため、刺し針が止着揺動位置に達しない限り止着動作は起こらない。従って、前記従来技術のように、揺動式の刺し針が止着揺動位置に達していないのに、誤って受け具の閉止又はロックを行なってしまい、ひいては高価な装飾品が衣服等から脱落して紛失すると言うミスが起こらない。
【００３０】
装飾品を衣服等から取り外す際は、内筒に設けた強制移動手段により、付勢手段の付勢力に抗して内筒を退避位置へ移動させると、刺し針の揺動は内筒に干渉されないので、装飾品を容易に衣服等から取り外すことができる。又、その際にストッパーの作用が回復するので、付勢手段の付勢力に抗して内筒は退避位置で固定される。
【００３１】
止着状態にある刺し針は、付勢手段の付勢力に抗して強制移動手段を操作しない限り内筒によって拘束されるので、刺し針が不測の原因によって内筒から勝手にはずれてしまう恐れは非常に少ない。
【００３２】
（第２発明の効果）
止着具の外筒内に保持された内筒が退避位置にある場合、この内筒にはセンサーアームの係止爪が係止し、内筒の移動を制約している。衣服等に刺し通した刺し針が止着揺動位置まで揺動すると、センサーアームのセンサー部材に当接してこれを押す。刺し針の押し圧力によりセンサーアームが弾性的に変位すると、上記の係止爪が内筒から外れ、係止爪による制約を解除された内筒が付勢手段の作用で止着位置へ移動して、その内周部に刺し針を収容する。その結果、内筒によって揺動式の刺し針が止着される。
【００３３】
以上の作用から分かるように、第１発明の場合と同様、刺し針が止着揺動位置に達したことをセンサ−アームが感知して刺し針に対する止着動作のトリガーを引く機構であるため、刺し針が止着揺動位置に達しない限り止着動作は起こらず、前記従来技術のように刺し針が止着揺動位置に達していないのに誤って受け具の閉止又はロックを行なうと言うミスが起こらない。
【００３４】
又、内筒の止着位置への移動は付勢手段の作用で弾発的に行われるので、装着者に対して明確な音及び／又は手応えが伝わる。即ち、刺し針に対する止着動作の確認は、従来技術と同様に面倒な視認によっても可能であるが、必ず止着動作と連動し、かつ確実に感知される音及び／又は手応えによって確認できる。
【００３５】
第１発明の場合と同様、内筒に設けた強制移動手段によって内筒を退避位置へ移動させると装飾品を容易に衣服等から取り外すことができるので、非常に簡単である。その際に、ストッパーの作用が回復し、内筒は退避位置で固定される。更に、止着状態の刺し針は、付勢手段の付勢力に抗して強制移動手段を操作しない限り内筒によって拘束されるので、刺し針が内筒から勝手にはずれてしまう恐れは非常に少ない。
【００３６】
（第３発明の効果）
外筒に設けるセンサーアームの構成は、その作用が確保される限りにおいて限定されないが、第３発明のように構成すればセンサーアームの作用を容易に確保することができる。センサー部材を、内筒の軸方向に形成した溝状の切れ目を通過して刺し針の止着揺動位置まで突出させると、２つの可動部材であるセンサー部材と内筒とを互いに干渉することなく動作させることができる。
【００３７】
（第４発明の効果）
第４発明のように外筒をスペーサー部材を介してベース部に固定すると、センサーアームの弾性的変形の方向及び変形量に対する許容度が大きく、センサーアームの弾性的変形に関する設計の自由度が大きくなる。
【００３８】
（第５発明の効果）
装飾品留め具は、長期間の使用において、例えば装飾品裏面のベース部に対する外筒の固定（通常は、金属溶接等による）の状態が悪くなり、再度の溶接加工等を必要とする場合もある。外筒部品を更新して、溶接加工したい場合もある。そしてその際、内筒に設けた付勢手段が加工時の熱により劣化し得る。
【００３９】
第５発明により、内筒をその付勢手段ごと外筒から取り外したもとで上記加工を行えば、このような不具合を容易に防止できる。又、一般的に、内筒部品のみを更新したい場合や、付勢手段のみを更新したい場合等にも便利である。
【００４０】
（第６発明の効果）
内筒に設ける付勢手段の構成は限定されないが、第６発明のように、内筒に圧縮状態のコイルバネを収容する、と言う形態を好ましく例示できる。この形態は、付勢手段の組み立てや更新が容易である。
【００４１】
（第７発明の効果）
内筒に対する強制移動手段の構成も限定されないが、例えば第７発明のように、外筒の軸方向に形成した溝状の切れ目を通過して径方向へ突出した摘まみを、内筒から設けることが好ましい。
【００４２】
（第８発明の効果）
強制移動手段は、外筒の外周における任意の角度方向に形成することができるが、例えば第８発明のように装飾品装着者の視線方向の部分に形成すると、刺し針に対するロック解除操作が容易である。
【００４３】
（第９発明の効果）
内筒が退避位置にあるとき、その摘まみが外筒のガイド溝における退避側端部の退避溝部によって拘束されているため、その止着位置への移動を制約されている。この状態において、内筒のスリットは外筒のスリットと一致した位置にあり、揺動する刺し針がこれらのスリットを通過して止着揺動位置まで揺動すること（内筒の内部まで進入すること）を許す。
【００４４】
衣服等に刺し通した刺し針を止着揺動位置まで揺動させると、内筒の内部に形成したセンサー壁部が押されて内筒に回転力を生じさせ、その結果、内筒の摘まみが退避溝部からの脱出動作を行って（摘まみに対する退避溝部のストッパー作用が解除されて）、内筒が付勢手段の作用で止着位置へ移動する。このとき、内筒と外筒のスリットが不一致となって、内筒の周壁部が刺し針の揺動を拘束し、内筒によって揺動式の刺し針が止着される。
【００４５】
即ち、揺動式の刺し針が止着揺動位置に達したことをセンサー壁部が感知して刺し針に対する止着動作のトリガーを引く機構であるため、刺し針が止着揺動位置に達しない限り止着動作は起こらない。従って、前記従来技術のように、揺動式の刺し針が止着揺動位置に達していないのに、誤って受け具の閉止又はロックを行なってしまい、ひいては高価な装飾品が衣服等から脱落して紛失すると言うミスが起こらない。
【００４６】
又、内筒の止着位置への移動は付勢手段の作用で弾発的に行われるので、装着者に対して明確な音及び／又は手応えが伝わる。即ち、刺し針に対する止着動作の確認は、従来技術と同様に面倒な視認によっても可能であるが、必ず止着動作と連動し、かつ確実に感知される音及び／又は手応えによって確認できる。
【００４７】
装飾品を衣服等から取り外す際は、内筒に設けた摘まみをガイド溝に沿って手動操作し、付勢手段の付勢力に抗して内筒を退避位置へ移動させると、刺し針の揺動は内筒に干渉されなくなるので、装飾品を容易に衣服等から取り外すことができる。又、その際に内筒の摘まみがガイド溝の退避溝部によって拘束される状態が回復するので、付勢手段の付勢力に抗して内筒は退避位置で固定される。
【００４８】
止着状態にある刺し針は、付勢手段の付勢力に抗して摘まみを操作しない限り内筒によって拘束されるので、刺し針が不測の原因によって内筒から勝手にはずれてしまう恐れは、非常に少ない。
【００４９】
（第１０発明の効果）
付勢手段の構成は限定されないが、第１０発明のように、内筒と外筒との軸方向端部間に収容した圧縮状態のコイルバネを好ましく例示できる。外筒のガイド溝を螺旋方向に設けることにより、このコイルバネの軸方向への付勢力を周方向への回転力に変換することができる。又、この付勢手段の構成形態は、付勢手段の組み立てや更新が容易である。
【００５０】
（第１１発明の効果）
第５発明の効果に関して前記したように、装飾品留め具は長期間の使用において、再度の溶接加工等を必要とする場合もあり、部品を更新して溶接加工したい場合もある。その際、付勢手段が加工時の熱により劣化し得る。
【００５１】
第１１発明により、内筒をその付勢手段ごと外筒から取り外したもとで上記加工を行えば、このような不具合を容易に防止できる。又、一般的に、内筒部品のみを更新したい場合や、付勢手段のみを更新したい場合等にも便利である。
【００５２】
（第１２発明の効果）
内筒が退避位置にあるとき、その摘まみが外筒の周方向に設けたガイド溝における軸方向への退避溝部によって拘束されているため、その止着位置への移動を制約されている。この状態において、内筒のスリットは外筒のスリットと一致した位置にあり、揺動する刺し針がこれらのスリットを通過して止着揺動位置まで揺動すること（内筒の内部まで進入すること）を許す。
【００５３】
衣服等に刺し通した刺し針を止着揺動位置まで揺動させると、外筒に設けたセンサ−部材が動作させられて、内筒の摘まみが退避溝部から脱出動作するように、内筒を軸方向へ移動させる。その結果、摘まみに対する退避溝部のストッパー作用が解除され、付勢手段の作用により、内筒が退避位置から止着位置方向へ回転する。このとき、内筒と外筒のスリットが不一致となって、内筒の周壁部が刺し針の揺動を拘束し、内筒によって揺動式の刺し針が止着される。
【００５４】
即ち、揺動式の刺し針が止着揺動位置に達したことをセンサー部材が感知して刺し針に対する止着動作のトリガーを引く機構であるため、刺し針が止着揺動位置に達しない限り止着動作は起こらない。従って、前記従来技術のように、揺動式の刺し針が止着揺動位置に達していないのに、誤って受け具の閉止又はロックを行なってしまい、ひいては高価な装飾品が衣服等から脱落して紛失すると言うミスが起こらない。
【００５５】
又、内筒の止着位置への移動は付勢手段の作用で弾発的に行われるので、装着者に対して明確な音及び／又は手応えが伝わる。即ち、刺し針に対する止着動作の確認は、従来技術と同様に面倒な視認によっても可能であるが、必ず止着動作と連動し、かつ確実に感知される音及び／又は手応えによって確認できる。
【００５６】
装飾品を衣服等から取り外す際は、内筒に設けた摘まみをガイド溝に沿って手動操作して、付勢手段の付勢力に抗して内筒を退避位置へ回転動作させると、刺し針の揺動は内筒に干渉されなくなるので、装飾品を容易に衣服等から取り外すことができる。又、その際に内筒の摘まみがガイド溝の退避溝部によって拘束される状態が回復するので、付勢手段の付勢力に抗して、内筒は退避位置で固定される。
【００５７】
止着状態にある刺し針は、付勢手段の付勢力に抗して摘まみを操作しない限り内筒によって拘束されるので、刺し針が不測の原因によって内筒から勝手にはずれてしまう恐れは、非常に少ない。
【００５８】
（第１３発明の効果）
センサ−部材の構成は特段に限定されないが、例えば第１３発明のような構成を好ましく例示することができる。その具体的な構成及び作用の一例を、後述の実施例において説明する。
【００５９】
（第１４発明の効果）
センサ−部材の構成としては、例えば第１４発明のような構成も好ましく例示することができる。その具体的な構成及び作用の一例も、後述の実施例において説明する。
【００６０】
（第１５発明の効果）
付勢手段の構成は限定されないが、第１５発明のように、内筒と外筒との間に設けた、外筒に対して内筒を退避位置から止着位置方向へ回転させるように付勢する回転バネを好ましく例示できる。このような回転バネを設けるに当たっては、後述の実施形態及び実施例で述べるように、幾つかの設計上の配慮が必要とされる。
【００６１】
（第１６発明の効果）
第５発明の効果に関して前記したように、装飾品留め具は長期間の使用において、再度の溶接加工等を必要とする場合もあり、部品を更新して溶接加工したい場合もある。その際、付勢手段が加工時の熱により劣化し得る。
【００６２】
第１６発明により、内筒をその付勢手段ごと外筒から取り外したもとで上記加工を行えば、このような不具合を容易に防止できる。又、一般的に、内筒部品のみを更新したい場合や、付勢手段のみを更新したい場合等にも便利である。
【発明を実施するための最良の形態】
【００６３】
次に、本願の第１発明〜第１６発明の実施形態を、その最良の形態を含めて説明する。以下において、単に「本発明」と言うときは、上記の各発明の内の該当する発明群を一括して指している。
【００６４】
〔本発明の全体に係る実施形態〕
（装飾品留め具）
本発明に係る装飾品留め具は、装飾品裏面のベース部に形成されるものであり、揺動式の刺し針と、この刺し針を止着揺動位置（刺し針の止め位置）において着脱可能に止着する止着具からなる。そして、この止着具が刺し針（の先端部）を筒体の内部に収納して止着する形式である点で、本質的に鉄砲式の装飾品留め具である。
【００６５】
装飾品留め具の取り付け対象である装飾品は、刺し針によって衣服等に留める形式である限りにおいて種類を限定されないが、とりわけ好ましくは、ブローチやスカーフ止め等と言った装飾品が例示される。
【００６６】
（刺し針）
揺動式の刺し針は、公知の任意の構成のものを採用できるが、基本的には装飾品裏面のベース部、又はベース部に取り付けた任意の部材を支点として、一定の範囲で揺動可能に支持される。刺し針は、通常はベース部の表面とほぼ平行に倒伏した位置において、止着具により着脱可能に止着されるものである。この場合、前記した「止着揺動位置」とは、このように倒伏した位置である。
【００６７】
（止着具）
本発明に係る装飾品留め具の止着具は、後述する「第２発明〜第８発明の実施形態」、「第９発明〜第１１発明の実施形態」、及び「第１２発明〜第１６発明の実施形態」のような、より好ましい具体的実施形態を有するが、少なくとも、以下（ａ）〜（ｄ）の共通した特徴点を持つ。
（ａ）ベース部において止着揺動位置における刺し針と同一方向に固定した筒体である外筒と、この外筒の内部に収容した筒体であって前記刺し針を着脱可能に止着するための内筒とからなる二重筒構造を持ち、
（ｂ）外筒内において、内筒は、刺し針の揺動に干渉しない退避位置と、止着揺動位置にある刺し針の揺動を拘束する止着位置との間で、周方向への回転動作及び／又は軸方向への移動が可能であり、
（ｃ）外筒と内筒との間には、退避位置にある内筒を止着位置へ移動するように付勢する付勢手段と、この付勢手段の付勢力に抗して内筒を退避位置に保持するストッパーと、刺し針の止着揺動位置への揺動により動作させられてストッパーの作用を解除するセンサ−部材とを設け、
（ｄ）かつ内筒には、止着位置にある内筒を退避位置へ移動させるための強制移動手段を設けている。
【００６８】
即ち、本発明に係る止着具の特徴は、固定された外筒と、外筒の内部に収容されて周方向への回転動作及び／又は軸方向への移動が可能な内筒との二重筒構造を持ち、内筒の動作によって刺し針が止着されたり開放されたりする点にある。しかも、このように内筒が刺し針を止着する動作が、常時はストッパーによって制約されているが、刺し針を止着すべく止着揺動位置へ揺動させたとき、これを感知するセンサ−部材によって上記ストッパーの作用が解除される点である。
【００６９】
刺し針を止着したり開放したりするための内筒の動作は、本質的に、周方向への回転動作である場合と、軸方向への移動である場合とがある。
【００７０】
前者の場合には、外筒は内筒の回転動作を許す必要があるため、例えば、内筒と外筒とは断面が円筒形である。ここに、「外筒は断面が円筒形である」とは、外筒の内周面の断面形状が円形であれば足りる。又、「内筒は断面が円筒形である」とは、内筒の外周面の断面形状が円形であれば足りる。そして外筒は、止着揺動位置における刺し針と同一方向に、かつ止着揺動位置における刺し針の先端部が接触する位置に固定される。
【００７１】
後者の場合、外筒は内筒の軸方向への移動を許す形状であれば良く、例えば、内筒と外筒とは断面が任意の形状（より好ましくは、両者が相似形状）であれば良い。そして外筒は、止着揺動位置における刺し針と同一方向に、かつ止着揺動位置における刺し針の先端より少し前方に固定される。
【００７２】
上記のストッパー及びセンサ−部材の構成は、要するに、上記（ｃ）のように付勢手段を関係させて構成される限りにおいて限定されないが、代表的な実施形態として、後述の各実施形態に示すものが例示される。
【００７３】
〔第２発明〜第８発明の実施形態〕
（止着具の外筒と内筒）
止着具は、装飾品裏面のベース部に固定された外筒と、この外筒内で、少なくとも所定の退避位置と止着位置との間を軸方向に移動可能に保持された内筒とからなる。外筒と内筒は本質的には２重筒構造体であるが、内周部に刺し針を収容できる形態を持ち、後述する種々の構成及び機能を備える限りにおいて、それらの断面形状は円筒形である必要はなく、例えば任意の相似形の断面形状であり得る。更には、連続した周壁を備える「筒体」の外観を備える必要もない。
【００７４】
外筒は、装飾品裏面のベース部に直接に固定しても良く、例えば後述の図６に係る実施例のように、適当なスペーサー部材を介してベース部の少し上方に浮く状態で固定しても良い。
【００７５】
外筒における内筒止着位置側（出口側）の端部は、特殊な構造設計を施す場合は別として、通常は内筒の止着位置への突出を許すために開口した構造とされる。外筒における内筒退避位置側（奥行側）の端部は、例えば内筒に付勢手段としてコイルバネを収容した場合にその端部を受け止める目的等から、閉止した構造とすることが好ましい。
【００７６】
内筒における上記の「退避位置」とは、内筒が外筒の奥行側に引っ込んだ位置であって、その位置にある内筒は、刺し針が止着揺動位置に揺動して来てもこれに接触しない。内筒における上記の「止着位置」とは、内筒が外筒の出口側に突出した位置であって、その位置に進出した内筒は、止着揺動位置にある刺し針を、その内周部に収納する。
【００７７】
上記において、「外筒内で、少なくとも所定の退避位置と止着位置との間を移動可能に保持された内筒」と記載したが、外筒における奥行側の端部は、内筒の退避位置までの移動を許す奥行としても良いが、実施例に示すように、内筒と外筒との組み付け、分解の便宜のために、内筒が退避位置より更に奥行側まで移動できるように形成しても良い。これを逆に言えば、内筒における奥行側の端部は、内筒が退避位置にある時に外筒の奥行側の端部に当たる長さとしても良いが、内筒が退避位置にあっても更に奥行側まで移動できる長さとしても良い。
【００７８】
内筒と外筒との奥行き側の端部間には、内筒を止着位置方向へ付勢する付勢手段を設ける。この付勢手段は、例えば内筒の奥行側端部の外壁部に取り付けた圧縮状態の板バネ等であっても良いが、圧縮状態のコイルバネを設けることが特に好ましい。このようなコイルバネは、内筒と外筒の奥行側端部の壁部間に収容することで、その機能を果たす。内筒の奥行側端部から更に筒状部を延設し、この延設筒状部にコイルバネを収容すると、内筒の長さが増大することにより、その外筒内での移動が安定する効果がある。
【００７９】
内筒には更に、内筒を退避位置へ移動させるための強制移動手段を設ける。この強制移動手段の構成も種々に可能であるが、手指で簡単に操作できる摘まみが特に好ましい。この摘まみは外筒の外側へ突出させる必要があるが、その突出を許すための溝状の切れ目を外筒の周壁部の軸方向に形成しておけば良い。装飾品留め具の装着者による強制移動手段の操作上、強制移動手段を、外筒の外周における、装飾品装着者の視線方向の部分に形成することが好ましい。
【００８０】
（センサーアーム）
上記の外筒には、弾性変形可能な材料、例えばバネ鋼や硬質プラスチックス等を用いて、センサーアームを構成する。ここに「弾性変形可能な材料を用いて」とは、センサーアームの全体を弾性変形可能な材料を用いて構成する場合が含まれることはもち論であるが、後述するセンサーアームの弾性的変位が可能となる形態で、その一部のみ（例えば、センサーアームの外筒に対する取り付け基部）に弾性変形可能な材料を用いた場合も含まれる。
【００８１】
外筒に対するセンサーアームの取り付け部位と取り付け形態は、必要に応じて任意に設計することができるが、刺し針がベース部の表面に向かって倒れて来ると言う設計が多いことから、センサーアームは外筒の下側（ベース部表面側）の外周部に取り付けることが好ましい。又、刺し針の押し圧力によるセンサーアームの弾性的変位を効果的に行わせるためには、センサーアームの先端側に後述のセンサー部材を形成する構成が好ましい。この構成は、換言すれば、センサーアームが内筒退避位置側の端部において外筒に固定される取り付け形態である。
【００８２】
センサーアームには、退避位置にある内筒に係止してその移動を制約する係止爪を設ける。センサーアームを外筒の外周部に取り付ける場合、係止爪は外筒の壁部を通過しなければ内筒に係止できないので、外筒の壁部には係止爪の通過を許す孔を開けておく。内筒に対する係止爪の係止形態は任意に設計できるが、例えば、退避位置にある内筒における係止爪と一致する部位の壁部に、係止爪が嵌入し得る係止孔を設けておくことが好ましい。
【００８３】
上記した内筒の係止孔は、前記のように、内筒が退避位置より更に奥行側まで移動できるように構成する場合には、この係止孔も、内筒そのような移動を許す細長い溝状に形成する必要がある。
【００８４】
更に、センサーアームには、刺し針の止着揺動位置（止め位置）まで突出したセンサー部材を設ける。センサーアームにおけるセンサー部材の設定位置は刺し針の止着揺動位置の近傍（外筒の出口側端部よりも先の部位）であるから、センサー部材の突出に対して外筒は干渉しない。しかしセンサー部材は、内筒の壁部を通過しなければ刺し針の所定の揺動位置まで突出できない。従って内筒の壁部にはセンサー部材の通過を許す空間を設定する必要がある。この空間は、前記した外筒の壁部に設ける係止爪の通過用の孔とは異なり、内筒の軸方向への移動を考慮して、内筒の軸方向に形成した溝状の切れ目とする必要がある。
【００８５】
上記のセンサー部材と内筒に形成する溝状の切れ目との関係に関して、内筒の溝状の切れ目を内筒の先端（外筒出口側の先端）まで至らせることが好ましい。この場合、センサー部材を内筒の溝状切れ目の先端から内筒の内周側へ導入できるため、少なくともセンサー部材における溝状切れ目の通過部を細身に形成しておけば、センサー部材における先端部（刺し針の受け止め部）を、目的に叶った円弧形状等に形成することができる。更に、内筒と外筒とを極めて容易に組み付けたり、分解したりすることができる。
【００８６】
なお、センサー部材における刺し針の受け止め部が内筒の溝状切れ目を通過できない形状であって、かつ内筒と外筒とを組み付け・分解可能に構成するためには、上記のように内筒の溝状の切れ目がその先端まで至ることの他、内筒がその退避位置より更に外筒の奥行側まで移動できるように構成する必要がある。内筒を退避位置より更に外筒の奥行側まで移動させないと、センサー部材における刺し針の受け止め部を内筒の溝状の切れ目から外すことができないからである。
【００８７】
〔第９発明〜第１１発明の実施形態〕
（止着具の外筒と内筒）
止着具は、装飾品裏面のベース部に固定された外筒と、この外筒内で、少なくとも所定の退避位置と止着位置との間を周方向への回転動作及び軸方向への移動可能に保持された内筒とからなる。外筒と内筒は２重筒構造体であるが、内筒の周方向への回転動作を許容するため、両者は本質的に円筒体である必要がある。但し、連続した周壁を備える「筒体」の外観を備える必要はない。
【００８８】
外筒は、装飾品裏面のベース部において、止着揺動位置における刺し針と同一方向に、かつ止着揺動位置における刺し針の先端部が接触する位置に固定される。外筒はベース部に直接に固定しても良く、適当なスペーサー部材を介してベース部の少し上方に浮く状態で固定しても良い。そして外筒の周壁には、揺動する刺し針の進入を許すスリットを設ける。
【００８９】
この実施形態では、本質的に、退避位置にある内筒が周方向へ回転動作することにより止着位置に到る構成であるが、そのための付勢手段は、内筒を軸方向へ付勢するものであり、内筒は軸方向へ移動しながら、後述の螺旋方向のガイド溝の作用により、周方向へも回転動作する。従って、外筒における内筒止着位置側（出口側）の端部は、特殊な構造設計を施す場合は別として、通常は内筒の止着位置への突出を許すために開口した構造とされる。外筒における内筒退避位置側（奥行側）の端部は、例えば内筒に付勢手段としてコイルバネを収容した場合にその端部を受け止める目的等から、閉止した構造とすることが好ましい。
【００９０】
内筒は、外筒内において周方向への回転動作及び軸方向への移動可能に保持された筒体であり、この内筒の周壁にも、揺動する刺し針の進入を許すスリットを設けている。そして内筒における「退避位置」とは、本質的に、内筒のスリットが外筒のスリットと一致するような内筒の回転位置であるが、結果的には内筒が外筒の奥行側に引っ込んだ位置でもある。内筒が退避位置にあるとき、止着揺動位置に揺動して来る刺し針は外筒及び内筒のスリットを通過するため、その揺動は内筒によって拘束されない。一方、内筒における「止着位置」とは、本質的に、内筒のスリットが外筒のスリットと一致しないような内筒の回転位置であるが、結果的には内筒が内筒が外筒の出口側に突出した位置でもある。内筒が止着位置にあるとき、止着揺動位置の刺し針は内筒のスリットを通過できないので、刺し針は内筒の内周部に収納されて止着される。
【００９１】
内筒と外筒との奥行き側の端部間には、内筒を止着位置方向へ付勢する付勢手段を設ける。この付勢手段は、例えば内筒の奥行側端部の外壁部に取り付けた圧縮状態の板バネ等であっても良いが、圧縮状態のコイルバネを設けることが特に好ましい。このようなコイルバネは、内筒と外筒の奥行側端部の壁部間に収容することで、その機能を果たす。内筒の奥行側端部から更に筒状部を延設し、この延設筒状部にコイルバネを収容すると、内筒の長さが増大することにより、その外筒内での移動が安定する効果がある。
【００９２】
（案内機構、ストッパー及びセンサー）
外筒の周壁部には、内筒の前記退避位置と止着位置との間の回転角度に相当する周方向の角度を有するように、螺旋方向にガイド溝を設ける。そして、ガイド溝には、内筒から突出した摘まみを通過させる。その結果、外筒内での内筒の動作は螺旋方向のガイド溝によって案内され、上記の付勢手段の軸方向への付勢力は内筒の周方向への回転力に変換される。又、内筒から突出した摘まみは、容易に摘んで操作することができるので、付勢手段の付勢力に抗して止着位置の内筒を退避位置へ強制移動させるための手段として利用できる。
【００９３】
ガイド溝における退避側端部（内筒が退避位置にある時の端部）には、周方向へ切り込んだ退避溝部を設ける。内筒は常時、付勢手段によって軸方向への付勢力を受けているが、内筒が周方向へ回転しない限り、摘まみが退避溝部を脱出することができない。従って、この退避溝部は、退避位置にある内筒の止着位置への移動を制約するストッパーとして機能する。
【００９４】
内筒の内部にはセンサー壁部を形成する。センサー壁部は、例えば後述の実施例に示すように、内筒の周壁部間にわたって径方向に設けられ、その一部に切欠部を有する形状である。この切欠部は内筒のスリットと一致する部位に設けられ、止着揺動位置に揺動して来た刺し針を受け止めて、その押圧力によって内筒に一定方向への回転力を生じさせるような形状に形成されている。その回転力を生じる方向は、前記した退避溝部に位置する摘まみがこの退避溝部から脱出する方向への回転力である。
【００９５】
なお、前記した外筒のガイド溝には、前記外筒のスリットと連絡する連絡溝を形成することが好ましい。このような連絡溝を形成しておくと、内筒の摘まみを連絡溝及び外筒のスリットを経由して外筒の開口部（出口側端部）まで通過させることにより、内筒を外筒から取り外すことができる。逆の操作により、内筒を外筒に組み付けることも容易である。従って、種々の理由による内筒と外筒との組み付け、分解を容易に行うことができる。
【００９６】
〔第１２発明〜第１６発明の実施形態〕
（止着具の外筒と内筒）
止着具は、装飾品裏面のベース部に固定された外筒と、この外筒内で、所定の退避位置と止着位置との間を周方向への回転動作及び軸方向への移動可能に保持された内筒とからなる。外筒と内筒は２重筒構造体であるが、内筒の周方向への回転動作を許容するため、両者は本質的に円筒体である必要がある。但し、連続した周壁を備える「筒体」の外観を備える必要はない。
【００９７】
外筒は、装飾品裏面のベース部において、止着揺動位置における刺し針と同一方向に、かつ止着揺動位置における刺し針の先端部が接触する位置に固定される。外筒はベース部に直接に固定しても良く、適当なスペーサー部材を介してベース部の少し上方に浮く状態で固定しても良い。そして外筒の周壁には、揺動する刺し針の進入を許すスリットを設ける。
【００９８】
内筒は、外筒内において周方向への回転動作及び軸方向への移動可能に保持された筒体であり、退避位置にある内筒が周方向への回転動作により止着位置に到る。従って、そのための付勢手段は、内筒を退避位置から止着位置方向へ回転させるように付勢する。この付勢手段は、好ましくは、内筒と外筒との間に設けた、外筒に対して内筒を退避位置から止着位置方向へ回転させるように付勢する回転バネである。
【００９９】
この内筒の周壁にも、揺動する刺し針の進入を許すスリットを設ける。内筒における「退避位置」とは、内筒のスリットが外筒のスリットと一致するような内筒の回転位置であり、内筒が退避位置にあるとき、止着揺動位置に揺動して来る刺し針は外筒及び内筒のスリットを通過するため、その揺動は内筒によって拘束されない。内筒における「止着位置」とは、内筒のスリットが外筒のスリットと一致しないような内筒の回転位置であり、内筒が止着位置にあるとき、止着揺動位置の刺し針は内筒のスリットを通過できないので、刺し針は内筒の内周部に収納されて止着される。
【０１００】
（案内機構、ストッパー及びセンサー）
外筒の周壁部には、内筒の前記退避位置と止着位置との間の回転角度に相当する角度を有するように、周方向にガイド溝を設ける。そして、ガイド溝には内筒から突出した摘まみを通過させる。その結果、外筒内での内筒の動作は周方向のガイド溝によって案内される。又、内筒から突出した摘まみは、容易に摘んで操作することができるので、付勢手段の付勢力に抗して止着位置の内筒を退避位置へ強制移動させるための手段として利用できる。
【０１０１】
ガイド溝における退避側端部（内筒が退避位置にある時の端部）には、より好ましくは周方向から軸方向へ向かう円弧状の曲がり部を介して、軸方向への退避溝部を設ける。内筒は常時、付勢手段によって周方向（回転方向）への付勢力を受けているが、内筒の摘まみがこの退避溝部にあるときは、内筒が軸方向へ移動しない限り、摘まみが退避溝部を脱出することができない。従って、この退避溝部は、退避位置にある内筒の止着位置への移動を制約するストッパーとして機能する。
【０１０２】
外筒には、刺し針の止着揺動位置への揺動により動作させられて、内筒の摘まみが退避溝部から脱出動作するように、内筒を軸方向へ移動させるセンサ−部材を設ける。なお、このように内筒の摘まみが退避溝部から脱出動作する際、軸方向への退避溝部が円弧状の曲がり部を介して周方向のガイド溝と連続していると、退避溝部からガイド溝への移行がスムースに行われる。
【０１０３】
外筒に設けるセンサ−部材の構成は、上記したセンサ−部材の作用が確保される限りにおいて限定されない。センサ−部材の好ましい実施形態としては、前記第１３発明のような、内筒の軸方向先端部において外筒の対抗壁部に一対に設けた対称螺旋方向へのセンサ−溝間に架設したセンサ−バーが例示される。このようなセンサ−バーは、止着揺動位置へ揺動した刺し針によりセンサ−溝沿いに押されるので、センサ−バーが内筒を軸方向へ移動させることとなり、結果的に、内筒の摘まみを退避溝部から脱出動作させることができる。
【０１０４】
センサ−部材の他の好ましい実施形態として、前記第１４発明のような、内筒の軸方向先端部において外筒の対抗壁部間に回転可能に架設したセンサ−振り子が例示される。このようなセンサ−振り子は、止着揺動位置へ揺動した刺し針により押されて回転するので、その回転動作により内筒を軸方向へ移動させ、結果的に、内筒の摘まみを退避溝部から脱出動作させることができる。
【０１０５】
なお、前記した外筒のガイド溝には、前記外筒のスリットと連絡する連絡溝を形成することが好ましい。このような連絡溝を形成しておくと、内筒の摘まみを連絡溝及び外筒のスリットを経由して外筒の開口部（出口側端部）まで通過させることにより、内筒を外筒から取り外すことができる。逆の操作により、内筒を外筒に組み付けることも容易である。従って、種々の理由による内筒と外筒との組み付け、分解を容易に行うことができる。
【実施例】
【０１０６】
次に本発明の実施例を図面に基づいて説明する。本発明の技術的範囲が以下の実施例によって限定されないことは、もち論である。
【０１０７】
〔第２発明〜第８発明に係る実施例の構成〕
本実施例に係る装飾品留め具はブローチの裏面のベース部に形成されるものであり、図２に示す揺動式の刺し針１と、この刺し針１を図３に示す止着揺動位置において着脱可能に止着する止着具２からなる。図においては刺し針１の先端部のみを示すが、刺し針１の基部はブローチのベース部３（図６を参照）上に固定した任意の部材を支点として、少なくともベース部３に対して起立した位置と、図３に示すような倒伏した位置との間で揺動可能に支持されている。この場合、図３に示す倒伏した位置が、刺し針１の止着揺動位置（止め位置）である。
【０１０８】
止着具２は、基本的に、それぞれ円筒状の外筒４と内筒５からなる２重筒構造体である。外筒４は、図６に示すように、スペーサー部材６を介してベース部３の少し上方の位置に固定されている。これに対して内筒５は、図２等に示すように外筒４内で摺動可能（少なくとも軸方向への移動可能）に保持されている。
【０１０９】
内筒５は、図２において外筒４の奥行側（図２の右側）方向へ引っ込んだ退避位置にあり、図３において外筒４の出口側（図２の左側）まで突出した止着位置にある。内筒５は、図２に示す退避位置において、更に一定の幅だけ外筒４の奥行側へ移動可能である。内筒５は、その内部に収容した圧縮状態のコイルバネ７によって外筒４の出口側へ付勢されているが、その付勢作用の有効範囲は止着位置までであるため、人為的に動作させない限り内筒５はそれ以上突出しない。
【０１１０】
外筒４の奥行側の端部は閉止され、出口側の端部は開口している。図２に示すように内筒５が退避位置にあるとき、刺し針１が揺動して来てもこれに接触しない。一方、図３に示すように、内筒５が止着位置に移動したとき、止着揺動位置にある刺し針１の先端部を内筒５の内周部に収納することができる。内筒５の出口側の端部においては、退避位置にある内筒５が刺し針１の揺動に対する干渉を避け易くなるように（換言すれば、内筒５の出口側へのなるべく少ない突出量で刺し針１の先端部を収納できるように）、斜めに切り欠かれた開放部５’が形成されている。
【０１１１】
内筒５からは、径方向の外側へ摘まみ８を突出させている。この摘まみ８は、外筒４の周壁部の軸方向に形成した溝状の切れ目９を通過して、外筒４の外側へ突出させたものである。溝状の切れ目９は、図２のように、内筒５が退避位置にある時、更に内筒５が一定の幅（幅Ｘ）分だけ図の右側へ移動することを許す奥行きを持っている。図５において想像線で示すように、摘まみ８と溝状の切れ目９とは、装飾品装着者の視線方向となる所定の部分に形成しても良い。
【０１１２】
外筒４の外周には、バネ鋼等の弾性変形可能な材料を用いて、センサーアーム１０を取り付けている。このセンサーアーム１０は奥行側の端部において外筒４に固定され、自然状態においては、図２に示すように外筒４の軸方向とほぼ平行に保持されている。センサーアーム１０は所定部に係止爪１１を備え、外筒４の相当する部位の壁部には係止爪１１を通過させる孔１２を設けると共に、内筒５にも、内筒５が前記の退避位置にあるときに相当することとなる部位の壁部に、係止爪１１が嵌入し得る係止孔１３を設けている。この係止孔１３は、図２に示すように、内筒５が係止爪１１に対して更に一定の幅（前記の幅Ｘ）分だけ図の右側へ移動することを許す軸方向の幅を持っている。
【０１１３】
更にセンサーアーム１０の先端には、刺し針１の止着揺動位置（図３に示す倒伏位置）まで突出したセンサー部材１４を設けている。センサー部材１４は、細身の線状に形成されたその基部が、内筒５の軸方向に形成した溝状の切れ目１５を通過することにより、刺し針１の止着揺動位置まで突出している。そしてセンサー部材１４の先端部には、刺し針１の受け止めを容易にするべく円弧形状に拡がった受け止め部１６が形成されている。センサー部材１４の基部が溝状の切れ目１５を通過する位置は、切れ目１５の先端の開放部よりも幅Ｙだけ奥行き方向の位置であり、この幅Ｙは、前記の幅Ｘよりもやや小さい。
【０１１４】
〔第２発明〜第８発明に係る実施例の使用状態〕
以上のように構成された本実施例は、次のように使用される。まず、止着具２の組み付けから説明すると、ブローチのベース部３に固定された外筒４中に内筒５を組み付けるに当たり、図１に示すように、センサーアーム１０を手指を用いて人為的に図の下方へ弾性的に変位させることにより、センサー部材１４や係止爪１１が邪魔にならないようにする。
【０１１５】
そして、コイルバネ７を介在させた状態で、摘まみ８の操作等で内筒５を外筒４に内挿して奥行側へ一杯に押し込む（図２に示す位置より幅Ｘ分だけ奥行側へ押し込む）。この時点での内筒５と外筒４の位置関係から、センサー部材１４を溝状の切れ目１５に導入することができるので、センサー部材１４を切れ目１５に通しておく。
【０１１６】
そして、センサーアーム１０を手指から放し、コイルバネ７の付勢力により、又は摘まみ８の操作で、内筒５を退避位置に移動させると、図２に示すように、センサーアーム１０が弾性的に元の位置に復帰し、その係止爪１１が外筒４の孔１２を通過して内筒５の係止孔１３に嵌入し、内筒５の止着位置方向への移動がロックされる。なお、上記の操作を逆の順序で行えば、部品の取り替えや修理のための分解を、簡単に行うことができる。
【０１１７】
上記のようにして止着具２の組み付けを完了し、この装飾品留め具を備えたブローチを衣服等に装着する。即ち、刺し針１を衣服等に刺し通したもとで図２及び図４に示すように止着揺動位置へ揺動させる（倒伏させる）。刺し針１が止着揺動位置へ揺動すると、図３及び図５に示すように、センサー部材１４の受け止め部１６が刺し針１を受け止め、その際の圧力により、センサーアーム１０が図の下方へ弾性的に変位する。
【０１１８】
その結果、係止爪１１が係止孔１３から外れるため、内筒５はコイルバネ７の付勢力により止着位置（図３に示す位置）まで移動し、その内周部に刺し針１を収納する。この状態においては刺し針１は内筒５に拘束されるため、ブローチが衣服等から脱落することはあり得ない。
【０１１９】
内筒５の上記のような移動は、付勢力による弾発力を伴うので、その際に生じる音や手応えにより、装着者には明瞭に感知される。しかも刺し針１が内筒５に収納されない限り、上記の音や手応えは生じないので、いわゆる「止め忘れ」や「止め損ない」が起こらない。
【０１２０】
ブローチを衣服等から取り外す際は、内筒５に設けた摘まみ８を押して内筒５を退避位置へ移動させると、刺し針１が内筒５から開放されるので、ブローチを容易に衣服等から取り外すことができる。刺し針１が止着揺動位置から離脱するのに伴い、センサーアーム１０に対する刺し針１の押し圧力が解消するので、センサーアーム１０が変位位置から弾性的に元の位置に戻る。その結果、係止爪１１が再び内筒５の係止孔１３に嵌入し、内筒５は退避位置で固定される。
【０１２１】
〔第９発明〜第１１発明に係る実施例の構成〕
本実施例に係る装飾品留め具はブローチの裏面のベース部に形成されるものであり、揺動式の刺し針１と、この刺し針１を図９に示す止着揺動位置において着脱可能に止着する止着具１７からなる。刺し針１の構成は、前記した第２発明〜第８発明に係る実施例の場合と同様である（但し、スペーサー部材６はあってもなくても良い）。
【０１２２】
止着具１７は、それぞれ円筒状の外筒１８と内筒１９からなる２重筒構造体である。外筒１８は、ブローチの裏面のベース部（図示省略）において、図９や図１０に示す止着揺動位置における刺し針１と同一方向に、かつ止着揺動位置における刺し針１の先端部が接触する位置に固定されている。更に、外筒１８の周壁には、止着揺動位置への刺し針１の進入を許すスリット２０を形成している。
【０１２３】
これに対して内筒１９は、図７等に示すように外筒１８内で摺動可能（周方向への回転動作及び軸方向への移動可能）に保持されている。この内筒１９にも、止着揺動位置への刺し針１の進入を許すスリット２１を形成している。図１２に内筒１９の全体像を示す。
【０１２４】
内筒１９が図７、図８又は図１１（ａ）に示す退避位置にあるとき、内筒１９のスリット２１が外筒１８のスリット２０と一致し、従って内筒１９が刺し針１の揺動に干渉しない。一方、内筒１９が図９、図１０又は図１１（ｃ）に示す止着位置にあるとき、内筒１９のスリット２１が外筒１８のスリット２０と一致せず、結果的にこれらのスリット２０、２１が閉鎖される状態となるため内筒１９が刺し針１の揺動を拘束する。内筒１９は退避位置においては図７のように外筒１８の奥行側方向へ引っ込んでおり、止着位置においては図９のように外筒１８の出口側へ突出しているが、内筒１９が止着位置において刺し針１の揺動を拘束する理由は、このような内筒１９の軸方向への移動ではなく、この移動に伴う周方向への回転動作によってスリット２０、２１が一致しなくなる点にある。
【０１２５】
図８に示すように、内筒１９及び外筒１８の出口側の端部は開口し、奥行側の端部は閉止されている。そして、両者の奥行側の端部間には圧縮状態のコイルバネ２２が収容され、内筒１９はこのコイルバネ２２によって外筒１８の出口側へ付勢されている。
【０１２６】
外筒１８の周壁部には、前記スリット２０とは周方向へ少しズレた位置において螺旋方向にガイド溝２３を切欠き形成し、内筒１９からはこのガイド溝２３を通過する摘まみ２４を突出させている。ガイド溝２３は、摘まみ２４に対する案内作用を通じて、外筒１８内における内筒１９の周方向への回転動作及び軸方向への移動を規制するためのものである。即ち、摘まみ２４がガイド溝２３の退避側端部（図７のように右下方向の端部）にあるとき、内筒１９は上記の退避位置にある。一方、摘まみ２４がガイド溝２３の止着側端部（図９のように左上方向の端部）にあるとき、内筒１９は上記の止着位置にある。
【０１２７】
ガイド溝２３には、その退避側端部において、更に周方向へ退避溝部２５を延設している。そして、上記した「摘まみ２４がガイド溝２３の退避側端部にあるとき」とは、実際には、「摘まみ２４が退避溝部２５にあるとき」を意味している。前記のように内筒１９はコイルバネ２２によって常時外筒１８の出口側へ付勢されているので、摘まみ２４が退避溝部２５にあるとき、退避溝部２５がストッパーとして作用し、内筒１９の止着位置への移動を許さない。
【０１２８】
更にガイド溝２３には、その止着側端部の付近において、前記のスリット２０と連通する連絡溝２６を設けている。連絡溝２６は外筒１８と内筒１９との組み付け・解体用に設けたものである。
【０１２９】
内筒１９の内部には、その開口端部にやや近い部位においてセンサー壁部２７を形成している。センサー壁部２７は、図１１（ａ）等に示すように内筒１９の内周壁部を径方向へ横断するように設けた壁部であるが、その一部に、切欠き開口部がスリット２１と一致した所定形状の切欠きを形成している。この切欠きによって、図１１（ａ）の矢印で示す刺し針１の揺動方向に対して片側へ傾斜したガイドスロープ２８と、このガイドスロープ２８の終端において、径方向の外側端部に設けた針受部２９とが形成されている。
【０１３０】
〔第９発明〜第１１発明に係る実施例の使用状態〕
以上のように構成された本実施例は、次のように使用される。まず止着具１７の組み付けから説明すると、ベース部に固定された外筒１８中に内筒１９を組み付けるに当たり、外筒１８の奥行側の端部にコイルバネ２２を収容する。次に、内筒１９の摘まみ２４を外筒１８のスリット２０から差し込み、連絡溝２６を経由してガイド溝２３に通すことにより、外筒１８と内筒１９との組み付けができる。又、解体する際には、摘まみ２４を逆のコースでスリット２０から脱出させることにより、解体を容易に行うことができる。
【０１３１】
そして、摘まみ２４をガイド溝２３に沿って退避溝部２５まで押し込むと、退避溝部２５のストッパー作用が働き、内筒１９は図７等に示す退避位置に安定的に固定される。
【０１３２】
上記のようにして止着具１７の組み付けを完了し、次いで、この装飾品留め具を備えたブローチを衣服等に装着する。即ち、刺し針１を衣服等に刺し通したもとで、図１１（ａ）のように、刺し針１をスリット２０、２１を通過させて内筒１９の内部に進入させる。すると、刺し針１はガイドスロープ２８の傾斜に案内されて針受部２９に当たる。その結果、径方向の外側端部に設けた針受部２９に対する刺し針１の押圧力によって、図１１（ｂ）に示すように、内筒１９が図の反時計回り方向へ回転する。この回転によって、摘まみ２４が退避溝部２５から脱出し、コイルバネ２２の付勢力に対するストッパー作用が解除される。そして、図７及び図８に示す退避位置にあった内筒１９は、摘まみ２４に対するガイド溝２３の案内作用に従って、図９及び図１０に示す止着位置へ移動するのである。この状態においては、刺し針１は内筒１９の拘束を受けるため止着状態を脱することができず、ブローチが衣服等から脱落することはあり得ない。
【０１３３】
内筒１９の上記のような移動は付勢力による弾発力を伴うので、その際に生じる音や手応えにより、装着者には明瞭に感知される。しかも刺し針１が内筒１９に収納されない限り、上記の音や手応えは生じないので、いわゆる「止め忘れ」や「止め損ない」が起こらない。
【０１３４】
ブローチを衣服等から取り外す際は、ガイド溝２３の止着側端部にある摘まみ２４を把持して、これをコイルバネ２２の付勢力に抗してガイド溝２３の退避側端部に設けた退避溝部２５まで移動させれば良く、この簡単な操作によって内筒１９は退避位置に戻って固定され、刺し針１が内筒１９の拘束から開放されるので、ブローチ等を容易に衣服等から取り外すことができる。
【０１３５】
〔第１２発明〜第１６発明に係る第１の実施例の構成〕
本実施例に係る装飾品留め具はブローチの裏面のベース部に形成されるものであり、揺動式の刺し針１と、この刺し針１を図１４に示す止着揺動位置において着脱可能に止着する止着具３０からなる。刺し針１の構成は、前記した第２発明〜第８発明に係る実施例の場合と同様である（但し、スペーサー部材６はあってもなくても良い）。
【０１３６】
止着具３０は、基本的に、それぞれ円筒状の外筒３１と内筒３２からなる２重筒構造体である。外筒３１は、ブローチの裏面のベース部（図示省略）において、止着揺動位置における刺し針１と同一方向に、かつ止着揺動位置における刺し針１の先端部が接触する位置に固定されている。更に外筒３１の周壁には、止着揺動位置への刺し針１の進入を許すスリット３３を形成している。
【０１３７】
これに対して内筒３２は、図１３（ａ）に示すように外筒３１内において摺動可能（周方向への回転動作及び軸方向への移動可能）に保持されている。内筒３２にも止着揺動位置への刺し針１の進入を許すスリット３４を形成している。
【０１３８】
内筒３２が図１３（ａ）〜（ｃ）に示す退避位置にあるとき、内筒３２のスリット３４が外筒３１のスリット３３と一致し、従って内筒３２が刺し針１の揺動に干渉しない。一方、内筒３２が図１３の反時計回り方向へ一定角度回転することにより図１４（ａ）〜（ｃ）に示す止着位置にあるときは、内筒３２のスリット３４が外筒３１のスリット３３と一致せず、結果的にこれらのスリット３３、３４が閉鎖される状態となるため、内筒３２が刺し針１の揺動を拘束する。
【０１３９】
図１３（ｂ）及び図１４（ｂ）に示すように、外筒３１の両側の端部は開口し、内筒３２の出口側の端部は開口すると共に奥行側の端部は閉止されている。内筒３２の奥行側の端部を閉止している壁部の中央には、バネ止め用のピン３５を突出させている。このピン３５は、回転方向への付勢力を生じさせる巻きバネ３６を抜けないように、かつ回転可能に軸着している。そして図１３（ｂ）及び図１３（ｃ）に示すように、この巻きバネ３６の一端側のアーム部は同じ壁部の制動ピン３７に当接され、他端側のアーム部は、回転方向の圧縮変形を受けた状態で外筒３１の周壁に軸方向の幅をもって設けたピン止め孔３８に通されている。従って巻きバネ３６は、図１３（ｃ）に即して言えば、常時、固定された外筒３１中の内筒３２を時計回り方向へ回転させようとする付勢力を示す。この付勢力の方向は、内筒３２を退避位置から止着位置へ回転させる方向と一致する。
【０１４０】
外筒３１の周壁部には、前記スリット３３の奥行きよりも更に奥行き側へ少しズレた位置において、図１３（ａ）に示す内筒３２の退避位置と図１４（ａ）に示す内筒３２の止着位置との間の回転角度に相当する角度を有するように、周方向にガイド溝３９をを切欠き形成し、内筒３２からはこのガイド溝３９を通過する摘まみ４０を突出させている。このガイド溝３９は、摘まみ４０に対する案内作用を通じて、外筒３１内における内筒３２の周方向への回転動作を規制するためのものである。即ち摘まみ４０が、図１３（ａ）に示すようにガイド溝３９の右方向端部である退避側端部にあるときは、内筒３２は上記の退避位置にあり、摘まみ４０が、図１４（ａ）に示すようにガイド溝３９の左方向端部である止着側端部にあるときは、内筒３２は上記の止着位置にある。
【０１４１】
ガイド溝３９には、その退避側端部において、更に円弧状の曲がり部４１を介して、軸方向への退避溝部４２を延設している。そして、上記の「摘まみ４０がガイド溝３９の退避側端部にあるとき」とは、実際には、「摘まみ４０が退避溝部４２にあるとき」を意味している。前記のように内筒３２は巻きバネ３６によって常時、図の時計回り方向へ付勢されているので、摘まみ４０が退避溝部４２にあるとき、退避溝部４２がストッパーとして作用し、内筒３２の止着位置への移動を許さない。
【０１４２】
更にガイド溝３９には、外筒３１の奥行き側の開口端部と連通する連絡溝４３を設けている。連絡溝４３は、外筒１８と内筒１９との組み付け・解体用に設けたものである。
【０１４３】
外筒３１には、刺し針１の止着揺動位置への揺動により動作させられて、内筒３２の摘まみ４０が退避溝部４２から脱出動作するように内筒３２を軸方向へ移動させる、第１センサ−部４４を設けている。第１センサ−部４４は、内筒３２の開口側〔図１３（ａ）における手前側〕先端部付近において、外筒３１の対抗壁部に一対に設けた対称螺旋方向へのセンサ−溝４５間に架設したセンサ−バー４６からなる。第１センサ−部４４を構成するに当たっては、例えば、センサ−バー４６の両端部にセンサ−溝４５を通過しない径を持つフランジ状の大径部を設け、少なくとも一端側の大径部をセンサ−バー４６の棒状端部に対してナットのようにネジ止めする方式とすれば、容易に組立て・構成することができる。
【０１４４】
〔第１２発明〜第１６発明に係る第１の実施例の使用状態〕
以上のように構成された本実施例は、次のように使用される。まず止着具３０の組み付けから説明すると、ベース部に固定され第１センサ−部材４４を設けた外筒３１中に内筒３２を組み付けるに当たり、まず内筒３２の摘まみ４０を外筒３１の連絡溝４３から差し込み、ガイド溝３９に通すことにより、外筒３１と内筒３２を組み付ける。
【０１４５】
次に、巻きバネ３６を、その一方のアーム部を外筒３１のピン止め孔３８に通した状態で、外筒３１のバネ止め用のピン３５に、抜けないように、かつ回転可能に軸着する。そして巻きバネ３６の他端側のアーム部を、回転方向の圧縮変形を受けた状態で、制動ピン３７に当接させる。止着具３０を解体する際には、上記の操作を逆の順序で行えば良い。
【０１４６】
止着具３０を組付けた後、摘まみ４０をガイド溝３９に沿って退避溝部４２まで押し込むと、退避溝部４２のストッパー作用が働き、内筒３２は図１３（ａ）に示す退避位置に安定的に固定される。
【０１４７】
上記のようにして止着具３０の組み付けを完了し、次いで、この装飾品留め具を備えたブローチを衣服等に装着する。即ち、刺し針１を衣服等に刺し通したもとで、刺し針１をスリット３３、３４を通過させて内筒３２の内部に進入させる。そうすると、図１４（ｂ）に示すように、刺し針１が第１センサ−部４４のセンサ−バー４６を図の右下方向へ押し、そのセンサ−バー４６が内筒３２を奥行き方向へ移動させる。内筒３２に取り付けた巻きバネ３６の一端部は外筒３１に対して、軸方向の幅をもって設けたピン止め孔３８に通すことにより連係させているので、内筒３２の奥行き方向への移動を許容する。
【０１４８】
内筒３２が奥行き方向へ移動する結果、内筒３２の摘まみ４０が曲がり部４１の案内作用もあって退避溝部４２からスムースに脱出動作する。その結果、巻きバネ３６の付勢力に対するストッパー作用が解除されるので、退避位置にあった内筒３２は、摘まみ４０に対するガイド溝３９の案内作用に従い図１４（ａ）〜（ｃ）に示す止着位置へ回転するのである。
【０１４９】
この状態においては、刺し針１は内筒３２の拘束を受けるため止着状態を脱することができず、ブローチが衣服等から脱落することはあり得ない。
【０１５０】
内筒３２の上記のような回転は付勢力による弾発力を伴うので、その際に生じる音や手応えにより、装着者には明瞭に感知される。しかも刺し針１が内筒３２に収納されない限り、上記の音や手応えは生じないので、いわゆる「止め忘れ」や「止め損ない」が起こらない。
【０１５１】
ブローチを衣服等から取り外す際は、ガイド溝３９の止着側端部にある摘まみ４０を把持して、これを巻きバネ３６の付勢力に抗してガイド溝３９の退避側端部に設けた退避溝部４２まで移動させれば良く、この簡単な操作によって、内筒３２は退避位置に戻って固定され、刺し針１が内筒３２の拘束から開放されるので、ブローチ等を容易に衣服等から取り外すことができる。
【０１５２】
〔第１２発明〜第１６発明に係る第２の実施例の構成〕
本実施例においては、上記の「第１２発明〜第１６発明に係る第１の実施例」に比較して、第１センサ−部４４が第２センサ−部４７に変更されている点のみが異なり、他の点は同様である。
【０１５３】
図１５に示すように、内筒４９の開口側端部と、外筒４８におけるその相当する部分には、刺し針１の止着揺動位置への揺動により動作させられて、内筒４９の摘まみ４０が退避溝部４２から脱出動作するように内筒４９を軸方向へ移動させる、第２センサ−部４７を設けている。
【０１５４】
この第２センサ−部４７において、内筒４９の開口側端部には、内筒４９の内周のほぼ下半部を径方向へ横断するセンサ−壁部５０を設けている。一方、外筒４８におけるその僅かに出口側の部分には、外筒４８の対抗壁部間にわたって振り子軸５１を回転可能に架設して、この振り子軸５１には、ほぼ三角柱形状のセンサ−振り子５２を軸方向に沿って固定している。センサ−振り子５２の三角柱形状は、図１６（ａ）、（ｂ）に示すように、その重心の設定の関係で下端部がセンサ−壁部５０に接しており、上端部は止着揺動位置へ揺動して来る刺し針１によって図の反時計回り方向へ押されるように設定されている。
【０１５５】
〔第１２発明〜第１６発明に係る第２の実施例の使用状態〕
本実施例の使用状態に関しては、以下に述べる点のみが前記の「第１２発明〜第１６発明に係る第１の実施例の使用状態」と相違する。以下に述べる点以外の使用状態は第１の実施例の使用状態と同様であるので、説明を省略する。
【０１５６】
止着具３０の組み付けを完了し、次いで、この装飾品留め具を備えたブローチを衣服等に装着する際、刺し針１を衣服等に刺し通したもとで、刺し針１を外筒４８及び内筒４９のスリットを通過させて内筒４９の内部に進入させる。そうすると、図１６（ｂ）に示すように、刺し針１が第２センサ−部４７のセンサ−振り子５２を図の反時計回り方向へ押し、そのためセンサ−振り子５２の下端部が内筒４９のセンサ−壁部５０を奥行き方向へ押す。その結果、内筒４９が図１５の奥行き方向〔図１６（ｂ）の右方向〕へ移動する。
【０１５７】
その結果、摘まみ４０が退避溝部４２から脱出動作し、巻きバネ３６の付勢力に対するストッパー作用が解除され、退避位置にあった内筒４９は、摘まみ４０に対するガイド溝３９の案内作用に従って止着位置へ回転するのである。
【産業上の利用可能性】
【０１５８】
本発明によって、不測の原因による衣服等からの脱落、止着具の「止め忘れ」、「止め損ない」等が起こらない装飾品留め具が提供される。
【図面の簡単な説明】
【０１５９】
【図１】第２発明〜第８発明に係る実施例の分解状態を示す断面図である。
【０１６０】
【図２】内筒が退避位置にある状態を示す断面図である。
【０１６１】
【図３】内筒が止着位置に突出した状態を示す断面図である。
【０１６２】
【図４】図２と同じ状態を示す斜視図である。
【０１６３】
【図５】図３と同じ状態を示す斜視図である。
【０１６４】
【図６】図５の左側面図である。
【０１６５】
【図７】第９発明〜第１１発明に係る実施例において、内筒が退避位置にある状態を示す斜視図である。
【０１６６】
【図８】内筒が退避位置にある状態を示す断面図である。
【０１６７】
【図９】内筒が止着位置にある状態を示す斜視図である。
【０１６８】
【図１０】内筒が止着位置にある状態を示す断面図である。
【０１６９】
【図１１】図１１（ａ）は図７のＸ−Ｘ線に沿う矢視図であり、図１１（ｃ）は図９のＹ−Ｙ線に沿う矢視図である。図１１（ｂ）は、図１１（ａ）と図１１（ｃ）との中間の状態を示す。
【０１７０】
【図１２】内筒を示す斜視図である。
【０１７１】
【図１３】図１３（ａ）は第１２発明〜第１６発明に係る第１の実施例において内筒が退避位置にある状態を示す斜視図であり、図１３（ｂ）はその状態を示す断面図であり、図１３（ｃ）は図１３（ａ）のＺ−Ｚ線に沿う矢視図である。
【０１７２】
【図１４】図１４（ａ）は第１２発明〜第１６発明に係る第１の実施例において内筒が止着位置にある状態を示す斜視図であり、図１４（ｂ）はその状態を示す断面図であり、図１４（ｃ）は図１４（ａ）のＺ−Ｚ線に沿う矢視図である。
【０１７３】
【図１５】第１２発明〜第１６発明に係る第２の実施例において内筒が退避位置にある状態を示す斜視図である。
【０１７４】
【図１６】図１６（ａ）は内筒が退避位置にある状態を示す断面図であり、図１６（ｂ）は内筒が止着位置へ移行する直前の状態を示す断面図である。
【符号の説明】
【０１７５】
１                                  刺し針
２，１７，３０                      止着具
３                                  ベース部
４，１８，３１，４８                外筒
５，１９，３２，４９                内筒
６                                  スペーサー部材
７，２２                            コイルバネ
８，２４，４０                      摘まみ
１０                                センサーアーム
１１                                係止爪
１３                                係止孔
１４                                センサー部材
２０，２１，３３，３４              スリット
２３，３９                          ガイド溝
２５，４２                          退避溝部
２７                                センサー壁部
２８                                ガイドスロープ
２９                                針受部２９
３６                                巻きバネ
４４                                第１センサー部
４５                                センサ−溝
４６                                センサ−バー
４７                                第２センサー部
５０                                センサ−壁部
５１                                振り子軸
５２                                センサ−振り子
【図１】
2006043442.tif 000003
【図２】
2006043442.tif 000004
【図３】
2006043442.tif 000005
【図４】
2006043442.tif 000006
【図５】
2006043442.tif 000007
【図６】
2006043442.tif 000008
【図７】
2006043442.tif 000009
【図８】
2006043442.tif 000010
【図９】
2006043442.tif 000011
【図１０】
2006043442.tif 000012
【図１１】
2006043442.tif 000013
【図１２】
2006043442.tif 000014
【図１３】
2006043442.tif 000015
【図１４】
2006043442.tif 000016
【図１５】
2006043442.tif 000017
【図１６】
2006043442.tif 000018